(57)【要約】【課題】  本発明は、ポストスクリプトデータを所定単位に分割して世代管理するとともに、プリンタ等で出力された出力媒体を特定することができる固有情報を、出力媒体単位に取得及び管理することを可能とし、さらに、ポストスクリプトデータと出力媒体の同一性の検証を可能としたポストスクリプトデータを用いた印刷用データの検証方法、検証システム及び検証プログラムに関するものである。【解決手段】  文書単位の編集データファイルから所定単位に分割されたＰＳデータを生成し、所定単位に分割されたＰＳデータの世代管理と併せて、プリンタ等で出力された出力媒体を特定することができる固有情報を、出力媒体単位に取得及び管理することを可能とし、さらに、所定単位に分割されたＰＳデータのコード化情報と出力媒体に印刷されたコード化情報の同一性の検証を可能にした。【選択図】  図１
2010187117.tif 000002
【特許請求の範囲】
【請求項１】
編集データ取得部、属性情報設定部、データ編集部、ＰＳデータ書き出し部、ＰＳデータファイル分割登録部及び読み出し部を有する編集端末と、記憶部及び前記記憶部に記憶される管理ＤＢを有する管理サーバと、読み取り部と検証部を有する検証端末及び出力装置とから構成される印刷用データの検証システムを用いた印刷用データの検証方法であって、
前記編集端末の文書単位の編集データ取得部によって、任意の編集又は印刷物の製造をする際の基である文書単位の編集データファイルを取得し、
前記編集端末の属性情報設定部によって、前記編集データファイルに属性情報を設定し、
前記編集端末のデータ編集部によって前記属性情報が設定された編集データファイルの作成又は修正すべき箇所の編集をし、更新された編集データファイルを取得し、
前記取得した文書単位の編集データファイル又は更新された編集データファイルから前記編集端末のＰＳデータ書き出し部によって文書単位のＰＳデータファイルを生成し、
前記生成されたＰＳデータファイルを前記編集端末のＰＳデータファイル分割登録部によって所定単位に分割された複数のＰＳデータファイルを生成し、
前記所定単位に分割された複数のＰＳデータファイルを前記管理サーバの記憶部に登録するとともに、前記所定単位に分割された複数のＰＳデータファイルの属性情報及び世代情報を前記管理サーバの管理ＤＢに登録し、
前記管理サーバの前記記憶部に記憶された前記所定単位に分割されたＰＳデータファイル及び前記世代情報を前記編集端末の読み出し部で読み出し、
前記読み出された前記所定単位に分割されたＰＳデータファイル及び前記世代情報からコード化情報を生成して前記管理サーバの管理ＤＢに登録し、出力装置によって前記コード化情報が印刷された出力媒体を出力し、
前記出力媒体に印刷された前記コード化情報を前記検証端末の読み取り部で読み取り、前記管理サーバの管理ＤＢに登録された前記出力媒体のコード化情報を読み出し、前記検証端末の検証部で前記出力媒体に印刷されたコード化情報と前記管理サーバの管理ＤＢに登録された前記出力媒体のコード化情報の同一性を検証することを特徴とする印刷用データの検証方法。
【請求項２】
前記検証端末の読み取り部による前記出力媒体に印刷されたコード化情報の読み取りに併せて、前記出力媒体を特定することができる固有情報を取得又は追加し、前記取得又は追加された固有情報を前記管理サーバの管理ＤＢに登録することで、前記出力媒体そのものの同一性を検証可能とすることを特徴とする請求項１記載の印刷用データの検証方法。
【請求項３】
前記世代情報は、属性情報に加えて、登録日時又は印面情報の少なくとも一つを含むことを特徴とする請求項１又は２記載の印刷用データの検証方法。
【請求項４】
前記出力媒体に印刷されるコード化情報は、前記世代情報に加えて出力日時又は出力指示をしたコンピュータ名の少なくとも一つを含むことを特徴とする請求項１、２又は３記載の印刷用データの検証方法。
【請求項５】
編集データ取得部、属性情報設定部、データ編集部、ＰＳデータ書き出し部、ＰＳデータファイル分割登録部及び読み出し部を有する編集端末と、記憶部及び前記記憶部に記憶される管理ＤＢを有する管理サーバと、読み取り部と検証部を有する検証端末及び出力装置から構成される印刷用データの検証システムであって、
任意の編集又は印刷物の製造をする際の基である文書単位の編集データファイルを取得する前記編集データ取得部と、
前記編集データファイルに属性情報を設定する前記属性情報設定部と、
前記属性情報が設定された編集データファイルの作成又は修正すべき箇所の編集をし、更新された編集データファイルを取得する前記データ編集部と、
前記取得した文書単位の編集データファイル及び更新された編集データファイルから文書単位のＰＳデータファイルを生成する前記ＰＳデータ書き出し部と、
前記生成されたＰＳデータファイルから所定単位に分割された複数のＰＳデータファイルを生成し、前記所定単位に分割された複数のＰＳデータファイルを前記管理サーバの記憶部に登録し、前記所定単位に分割された複数のＰＳデータファイルの属性情報及び世代情報を前記管理サーバの管理ＤＢに登録する前記ＰＳデータファイル分割登録部と、
前記管理サーバの記憶部に保存された前記所定単位に分割されたＰＳデータ及び前記世代情報を読み出すとともに、前記所定単位に分割されたＰＳデータファイル及び前記世代情報からコード化情報を生成し、前記管理サーバの管理ＤＢに登録する前記読み出し部とを有する前記編集端末と、
前記所定単位に分割された複数のＰＳデータファイルと属性情報、世代情報及びコード化情報が登録される管理ＤＢを保存する前記記憶部を有する前記管理サーバと、
前記出力媒体に印刷されたコード化情報を読み取る読み取り部と、
前記読み取り部で読み取られる前記出力媒体に印刷されたコード化情報と、前記管理サーバの管理ＤＢに登録された前記出力媒体のコード化情報を読み出し、前記出力媒体に印刷されたコード化情報と前記管理サーバの管理ＤＢに登録された前記出力媒体のコード化情報の同一性を検証する検証部を有する前記検証端末と、
前記読み出された前記所定単位に分割されたＰＳデータファイル及び前記世代情報から生成された前記コード化情報を出力媒体に印刷する出力装置から構成されることを特徴とする印刷用データの検証システム。
【請求項６】
前記検証端末の読み取り部による前記出力媒体に印刷されたコード化情報の読み取りに併せて、前記出力媒体を特定することができる固有情報を取得又は追加し、前記取得又は追加された固有情報は前記管理サーバの管理ＤＢに登録することで、前記出力媒体そのものの同一性を検証可能とすることを特徴とする請求項５記載の印刷用データの検証システム。
【請求項７】
前記世代情報は、属性情報に加えて、登録日時又は印面情報の少なくとも一つを含むことを特徴とする請求項５又は６記載の印刷用データの検証システム。
【請求項８】
前記出力媒体に印刷されるコード化情報は、前記世代情報に加えて出力日時又は出力指示をしたコンピュータ名の少なくとも一つを含むことを特徴とする請求項５、６又は７記載の印刷用データの検証システム。
【請求項９】
請求項１乃至４のいずれか１項記載の印刷用データの検証方法をコンピュータで実行することを特徴とする印刷用データの検証プログラム。
【発明の詳細な説明】
【技術分野】
【０００１】
本発明は、ポストスクリプトデータを所定単位に分割して世代管理するとともに、プリンタ、イメージセッター又はＣＴＰ装置等で出力された出力媒体を特定することができる固有情報を、出力媒体単位に取得及び管理することを可能とし、さらに、ポストスクリプトデータと出力媒体の同一性の検証を可能としたポストスクリプトデータを用いた印刷用データの検証方法、検証システム及び検証プログラムに関するものである。
【背景技術】
【０００２】
従来、印刷用の刷版は、印刷原稿をレーザプリンタ、イメージセッターからフィルム等に出力し、出力したフィルムを用いて露光により刷版を作製していた。近年は、コンピュータの発展に伴い、印刷業界おいては、Ｃｏｍｐｕｔｅｒ  ｔｏ  ｐｌａｔｅ（以下「ＣＴＰ」という。）によって印刷用の刷版を作製している。ＣＴＰは、印刷版を作製する場合に、コンピュータ上で作成されたデジタルデータの印刷原稿から直接印刷用の刷版を作製するものである。
【０００３】
また、コンピュータ上で作成されたデジタルデータの印刷原稿は、Ｄｅｓｋ  Ｔｏｐ  Ｐｕｂｌｉｓｈｉｎｇ（以下「ＤＴＰ」という。）によって、印刷物のデザイン、編集、版下作成作業等を容易に行うことが可能となっている。ＤＴＰでは、Ａｄｏｄｅ  Ｓｙｓｔｅｍｓ社によって開発されたプリンタの出力を制御するためのページ記述言語であるＰｏｓｔＳｃｒｉｐｔ（登録商標：以下「ＰＳ」という。）が用いられており、プリンタに対して印刷の位置を細かく指定することが可能である。そこで、印刷機で大量印刷を行いたい場合に、あらかじめＰＳ言語によってプリンタ出力された校正紙で校正を行い、校了となったデータを用いて製版し、印刷機にて印刷物を作製している。
【０００４】
例えば、ＤＴＰシステムとしては、入力データに基づきＤＴＰ上での組版イメージを画面表示し、ＤＴＰ用組版データを簡易に作成することが可能なＤＴＰ用組版データ作成装置が開示されている（例えば、特許文献１参照）。
【０００５】
ＰＳデータを用いたデジタル式カラー校正刷りシステムとしては、標準的な黒白用ポストスクリプトファイルを使用し、カラープリンタにおけるカラー画像を生成する技術が開示されている（例えば、特許文献２参照）。
【０００６】
例えば、ＰＳデータファイルの出力時のデータ保証については、ＣＴＰ下版データの管理に伴う手作業であるＣＴＰ下版データの収集、管理情報の付加、ＣＴＰ下版データの管理の軽減及びＣＴＰ下版データの品質保証を容易に行うことができる技術が開示されている。詳細には、製版工程内のＲＩＰからＣＴＰ下版データを自動収集するＣＴＰ下版データ自動収集手段と、ＣＴＰ下版データを管理するために必要な情報を取得し、登録する情報登録手段と、ＣＴＰ下版データを登録された情報に基づき管理するＣＴＰ下版データ管理手段とを備えるＣＴＰ下版データ管理システムが開示されている（例えば、特許文献３参照）。
【先行技術文献】
【特許文献】
【０００７】
【特許文献１】特許第２６０６５５７号公報
【特許文献２】特開平０７−００１７６５号公報
【特許文献３】特開２００７−２０１８６０号公報
【発明の概要】
【発明が解決しようとする課題】
【０００８】
プリプレス工程の作業は、入稿されたデジタルデータ（紙原稿を含む。）から意図するレイアウト、フォントサイズ、フォント種類、図形及び誤字等の編集作業が行われ、新たなデジタルデータを取得して刷版を作製している。図１３に示すように、文書単位の編集データファイルが複数ページで構成されている場合において、編集は複数ページを有するデータファイルで行われるが、校正作業は１ページ単位で行われるため、仮に、Ｂ１工程で１ページ目と３ページ目が先に校了になった場合に、その後のＢ２工程で２ページ目を編集したときに、２ページ目の追記及び／又は削除によっては、校了となった３ページ目のデータが２ページ目又は４ページ目にずれて自動的に修正されてしまうことから、出力用ＰＳデータファイルの出力時のデータが保証できない問題があった。また、オペレータのミスによって本来修正するべきではないページを修正してしまった場合、検知できないという問題があった。
【０００９】
つまり、編集ソフトで編集した文書データに対して、ページ単位で管理することができる仕組みがなく、校了としたページを修正することができるため、校了時のデータの保証がとれないという問題があった。また、最終的にプリンタ、イメージセッター又はＣＴＰ装置等で出力された出力媒体と、本来出力すべき編集データの同一性保証がシステム上でとれないため、オペレータのミスなどによって、本来出力すべきでないデータによって印刷物を印刷してしまう問題があった。
【００１０】
また、特許文献１は、ＤＴＰソフトによって作成された編集データを印刷出力する際に印刷時間を短縮するために、プリンタのアウトラインフォントのビットマップ展開に関してヒット率を高め印刷時間を短縮することができる技術が紹介されているが、これによると、編集データの世代情報の同一性保証を取る手段までは有していない。また、特許文献３は、手作業で行っていたＣＴＰ下版データの管理を軽減し、品質保証を容易に行うことができる技術について紹介されているが、これによると、刷版出力後の検版作業の支援を目的とするものであり、所定単位に分割された各々のデータを世代管理し、保証する手段を有していない。
【００１１】
本発明は、前記課題の解決を目的とするものであり、文書単位の編集データファイルから所定単位に分割されたＰＳデータを生成し、所定単位に分割されたＰＳデータの世代管理と併せて、プリンタ、イメージセッター又はＣＴＰ装置等で出力された出力媒体を特定することができる固有情報を、出力媒体単位に取得及び管理することを可能とし、さらに、所定単位に分割されたＰＳデータのコード化情報と出力媒体に印刷されたコード化情報の同一性検証を可能にしたポストスクリプトデータを用いた印刷用データの検証方法、検証システム及び検証プログラムを提案することを目的とする。
【課題を解決するための手段】
【００１２】
本発明は、編集データ取得部、属性情報設定部、データ編集部、ＰＳデータ書き出し部、ＰＳデータファイル分割登録部及び読み出し部を有する編集端末と、記憶部及び前記記憶部に記憶される管理ＤＢを有する管理サーバと、読み取り部と検証部を有する検証端末及び出力装置とから構成される印刷用データの検証システムを用いた印刷用データの検証方法であって、前記編集端末の文書単位の編集データ取得部によって、任意の編集又は印刷物の製造をする際の基である文書単位の編集データファイルを取得し、前記編集端末の属性情報設定部によって、前記編集データファイルに属性情報を設定し、前記編集端末のデータ編集部によって前記属性情報が設定された編集データファイルの作成又は修正すべき箇所の編集をし、更新された編集データファイルを取得し、前記取得した文書単位の編集データファイル又は更新された編集データファイルから前記編集端末のＰＳデータ書き出し部によって文書単位のＰＳデータファイルを生成し、前記生成されたＰＳデータファイルを前記編集端末のＰＳデータファイル分割登録部によって所定単位に分割された複数のＰＳデータファイルを生成し、前記所定単位に分割された複数のＰＳデータファイルを前記管理サーバの記憶部に登録するとともに、前記所定単位に分割された複数のＰＳデータファイルの属性情報及び世代情報を前記管理サーバの管理ＤＢに登録し、前記管理サーバの前記記憶部に記憶された前記所定単位に分割されたＰＳデータファイル及び前記世代情報を前記編集端末の読み出し部で読み出し、前記読み出された前記所定単位に分割されたＰＳデータファイル及び前記世代情報からコード化情報を生成して前記管理サーバの管理ＤＢに登録し、出力装置によって前記コード化情報が印刷された出力媒体を出力し、前記出力媒体に印刷された前記コード化情報を前記検証端末の読み取り部で読み取り、前記管理サーバの管理ＤＢに登録された前記出力媒体のコード化情報を読み出し、前記検証端末の検証部で前記出力媒体に印刷されたコード化情報と前記管理サーバの管理ＤＢに登録された前記出力媒体のコード化情報の同一性を検証することを特徴とする印刷用データの検証方法である。
【００１３】
また、本発明は、前記検証端末の読み取り部による前記出力媒体に印刷されたコード化情報の読み取りに併せて、前記出力媒体を特定することができる固有情報を取得又は追加し、前記取得又は追加された固有情報を前記管理サーバの管理ＤＢに登録することで、前記出力媒体そのものの同一性を検証可能とすることを特徴とする印刷用データの検証方法である。
【００１４】
また、本発明の前記世代情報は、属性情報に加えて、登録日時又は印面情報の少なくとも一つを含むことを特徴とする印刷用データの検証方法である。
【００１５】
また、本発明は、前記出力媒体に印刷されるコード化情報は、前記世代情報に加えて出力日時又は出力指示をしたコンピュータ名の少なくとも一つを含むことを特徴とする印刷用データの検証方法である。
【００１６】
また、本発明は、編集データ取得部、属性情報設定部、データ編集部、ＰＳデータ書き出し部、ＰＳデータファイル分割登録部及び読み出し部を有する編集端末と、記憶部及び前記記憶部に記憶される管理ＤＢを有する管理サーバと、読み取り部と検証部を有する検証端末及び出力装置から構成される印刷用データの検証システムであって、任意の編集又は印刷物の製造をする際の基である文書単位の編集データファイルを取得する前記編集データ取得部と、前記編集データファイルに属性情報を設定する前記属性情報設定部と、前記属性情報が設定された編集データファイルの作成又は修正すべき箇所の編集をし、更新された編集データファイルを取得する前記データ編集部と、前記取得した文書単位の編集データファイル又は更新された編集データファイルから文書単位のＰＳデータファイルを生成する前記ＰＳデータ書き出し部と、前記生成されたＰＳデータファイルから所定単位に分割された複数のＰＳデータファイルを生成し、前記所定単位に分割された複数のＰＳデータファイルを前記管理サーバの記憶部に登録し、前記所定単位に分割された複数のＰＳデータファイルの属性情報及び世代情報を前記管理サーバの管理ＤＢに登録する前記ＰＳデータファイル分割登録部と、前記管理サーバの記憶部に保存された前記所定単位に分割されたＰＳデータ及び前記世代情報を読み出すとともに、前記所定単位に分割されたＰＳデータファイル及び前記世代情報からコード化情報を生成し、前記管理サーバの管理ＤＢに登録する前記読み出し部とを有する前記編集端末と、前記所定単位に分割された複数のＰＳデータファイルと属性情報、世代情報及びコード化情報が登録される管理ＤＢを保存する前記記憶部を有する前記管理サーバと、前記出力媒体に印刷されたコード化情報を読み取る読み取り部と、前記読み取り部で読み取られる前記出力媒体に印刷されたコード化情報と、前記管理サーバの管理ＤＢに登録された前記出力媒体のコード化情報を読み出し、前記出力媒体に印刷されたコード化情報と前記管理サーバの管理ＤＢに登録された前記出力媒体のコード化情報の同一性を検証する検証部を有する前記検証端末と、前記読み出された前記所定単位に分割されたＰＳデータファイル及び前記世代情報から生成された前記コード化情報を出力媒体に印刷する出力装置から構成されることを特徴とする印刷用データの検証システムである。
【００１７】
また、本発明は、前記検証端末の読み取り部による前記出力媒体に印刷されたコード化情報の読み取りに併せて、前記出力媒体を特定することができる固有情報を取得又は追加し、前記取得又は追加された固有情報は前記管理サーバの管理ＤＢに登録することで、前記出力媒体そのものの同一性を検証可能とすることを特徴とする印刷用データの検証システムである。
【００１８】
また、本発明の前記世代情報は、属性情報に加えて、登録日時又は印面情報の少なくとも一つを含むことを特徴とする印刷用データの検証システムである。
【００１９】
また、本発明の前記出力媒体に印刷されるコード化情報は、前記世代情報に加えて出力日時又は出力指示をしたコンピュータ名の少なくとも一つを含むことを特徴とする印刷用データの検証システムである。
【００２０】
また、本発明は、印刷用データの検証方法をコンピュータで実行することを特徴とする印刷用データの検証プログラムである。
【発明の効果】
【００２１】
複数ページにわたる文書単位の編集データファイルを所定単位（例えば、ページ単位、折り単位、工程単位）のＰＳデータに分割して、所定単位の更新履歴等を管理することで、データの確実な世代管理を可能とすることにより、所定単位でのデータの更新前後の差分検知をすることができる。また、プリンタ、イメージセッター及びＣＴＰ装置等で出力された出力媒体を特定することができる固有情報を出力媒体単位で取得及び管理することで、出力媒体の現品管理及び出力媒体そのものの同一性検証が可能となる。さらに、所定単位に分割されたＰＳデータのコード化情報と出力媒体に印刷されたコード化情報の同一性を検証することを可能とすることで、出力媒体が本来出力すべきＰＳデータから出力されたものであると確実に保証することができる。
【図面の簡単な説明】
【００２２】
【図１】印刷用データの検証システム１を示す図である。
【図２】編集端末２を示す図である。
【図３】管理サーバ３を示す図である。
【図４】検証端末４を示す図である。
【図５】印刷用データの検証システム１で得られるデータの流れを示す図である。
【図６】属性情報１１０の設定画面の一例を示す図である。
【図７】出力媒体への印刷設定画面の一例を示す図である。
【図８】出力媒体にＱＲコード及び／又は属性情報を印刷する位置の説明図である。
【図９】世代情報１３０の表示画面の一例である。
【図１０】管理ＤＢ１５の一例を示す図である。
【図１１】所定単位に分割されたＰＳデータの履歴表示画面の一例である。
【図１２】印刷用データの検証方法を示す図である。
【図１３】従来の問題点を示す図である。
【発明を実施するための形態】
【００２３】
本発明を実施するための形態について、図面を用いて説明する。しかしながら、本発明は、以下に述べる実施するための形態に限定されるものではなく、特許請求の範囲に記載されている技術の範疇であれば、その他いろいろな実施の形態が含まれる。
【００２４】
本発明で記載される「編集」について説明する。ここでいう「編集」とは、コンピュータ（編集端末）で編集処理に特化した機能を有する編集ソフトウェアを起動し、編集ソフトウェアの画面に表示される紙面を模した領域の任意の場所に、文字データや図形・写真等の画像データといった素材データを配置して、各々の素材データに固有の編集情報を設定し、該素材データを印刷した際の紙面のデザインを整える処理をいう。また、前記記載のとおり、編集処理において入稿又は作成されたデータを編集データファイルと呼び、後記のとおり、編集処理が終了した後、出力担当部へ送られて紙又は版材等に出力されるデータを出力用ＰＳデータファイルと呼ぶ。なお、「編集」においては、印刷用紙サイズ、余白、段組数、組方向、文字フォント、文字サイズ、行間・字詰め等の段落書式及び画像データにおいては、画像解像度、画像と文字の折り返し方等といった属性を変更することができる。
【００２５】
図１は、印刷用データの検証システム１を示す図である。図２は、編集端末２を示す図である。図３は、管理サーバ３を示す図である。図４は、検証端末４を示す図である。図５は、印刷用データの検証システム１で得られるデータの流れを示す図である。図６は、属性情報１１０の設定画面の一例である。図７は、ＱＲコード及び属性情報１１０の出力媒体への印刷設定画面の一例を示す図である。図８は、出力媒体にＱＲコード及び／又は属性情報を印刷する位置の説明図である。図９は、世代情報１３０の表示画面の一例である。図１０は、管理ＤＢ１５の構成の一例を示す図である。図１１は、所定単位に分割されたＰＳデータの履歴表示画面の一例である。図１２は、印刷用データの検証方法を示す図である。図１３は、従来の問題点を示す図である。
【００２６】
（印刷用データの検証システム）
図１に示すように印刷用データの検証システム１は、編集端末２、管理サーバ３、検証端末４、出力装置５及び通信ネットワークで構成されている。図１では、出力装置５及び検証端末４は、通信ネットワークに接続されているが、本発明は、これに限定されることなく、編集端末２内の構成又は管理サーバ３内の構成であっても良い。図２に示すように、編集端末２は、編集データ取得部６、属性情報設定部７、データ編集部８、ＰＳデータ書き出し部９、ＰＳデータファイル分割登録部１０及び読み出し部１１を有する。編集端末２は、データ保護設定部１２を更に設けることができる。図３に示すように、管理サーバ３は、記憶部１４及び記憶部１４に記憶される管理ＤＢ１５を有する。図４に示すように、検証端末４は、読み取り部１６及び検証部１７を有する。なお、印刷用データの検証システム１は、編集端末２に記憶部を設ける構成にすることにより、管理サーバ３を設ける必要がなくなる。
【００２７】
図２に示した編集端末２について更に詳細に説明する。編集データ取得部６は、図５に示す任意の編集又は印刷物の製造をする際の基であるデジタル化された文書単位の編集データファイル１００を取得又は作成することができる。編集データ取得部６でデジタル化された文書単位の編集データファイル１００を取得する場合は、ＣＤ−ＲＯＭドライブ、ＦＤドライブ、イメージカードリーダ、ＵＳＢ等によって取得される。また、ネットワークを介して遠隔地から文書単位の編集データファイル１００を取得しても良い。編集データ取得部６で編集データファイル１００を作成する場合は、文書作成ソフトウェア、文書編集ソフトウェア等によって作成する。
【００２８】
属性情報設定部７は、編集データファイル１００に、図５に示す属性情報１１０を設定する。属性情報１１０は、編集データファイル名、製品名、編集作業者名、所定単位番号、工程、用紙サイズ、組方向、製品寸法、ＰＳデータ作成日時又は文書更新日時の少なくとも一つを含むものである。前記属性情報１１０は、出力媒体に印刷することができる。編集データファイル名は、入稿又は作成時に付与されたファイルの名称である。製品名は、編集した製品の名称である。編集作業者名は、前記編集データファイル名を編集又は作成した作業者の名称である。所定単位番号は、複数ページにわたる文書単位の編集データファイルの所定単位（例えば、ページ単位、折り単位、工程単位）に付与する番号である。工程は、作業工程を表すものである。用紙サイズは、プリンタから出力する用紙のサイズである。組方向は、文書の縦組又は横組を設定する。製品寸法は、Ａ６、Ａ５、Ａ４、Ａ３、Ｂ６、Ｂ５、Ｂ４及びその他並びに縦長、横長等が設定可能である。その他を選択した場合は、縦寸法及び横寸法を入力する。図６に示した属性情報１１０の設定画面及び設定情報は、一例であり、画面の体裁については、特に限定されるものではない。ＱＲコード及び／又は属性情報は、図７に示すように、付加コマンド、場所コマンド、サイズコマンド等を有する。ＱＲコードは、後述するコード化情報１７０から算出した値をコード化したものである。付与コマンドは、出力媒体に対してＱＲコード及び／又は属性情報を付加するか否かを決定することができる。場所コマンドは、ＱＲコード及び／又は属性情報を付加する場合において、図８に示すとおり、欄外の小口、天、地、左又は右のいずれか一つを選択することができる。サイズコマンドは、ＱＲコードのサイズの設定及び／又は属性情報の文字の大きさを設定することができる。図８は、ＱＲコードで例示しているが、一次元バーコード、二次元バーコード等のコード情報であれば、特に限定されるものではない。さらに、出力媒体に付加するＱＲコード及び／又は属性情報の付加位置は、とんぼとの相対間隔も併せて設定可能である（図示せず）。
【００２９】
データ編集部８は、属性情報１１０の設定された編集データファイル１００の作成又は修正すべき箇所の編集をし、図５に示す更新された編集データファイル１２０を取得する。編集端末２のデータ編集部８は、市販されている編集ソフトウェアであっても良い。例えば、編集ソフトウェアは、ＥＤＩＡＮ（キャノンＩＴソリューションズ社製）で行われる。
【００３０】
世代情報１３０は、属性情報に加えて、登録日時又は印面情報の少なくとも一つを含むものである。図９に示した世代情報１３０の表示画面は、一例であり、画面の体裁については、特に限定されるものではない。また、世代情報１３０は、後述する所定単位に分割された複数のＰＳデータファイル１５０を、管理サーバ３の管理ＤＢ１５に登録する際に、システム内部処理によって自動取得される。
【００３１】
ＰＳデータ書き出し部９は、データ編集部８で、属性情報１１０の設定された編集データファイル１００及び更新された編集データファイル１２０から図５に示す文書単位のＰＳデータファイル１４０を生成する。ＰＳデータ書き出し部９は、編集端末２にインストールされている編集ソフトウェアのＰＳデータファイル作成コマンドによって行われる。ＰＳデータ書き出し部９は、出力サイズの設定も可能である。
【００３２】
ＰＳデータファイル分割登録部１０は、ＰＳデータ書き出し部９で生成されたＰＳデータファイル１４０から所定単位に分割された複数のＰＳデータファイル１５０を生成し、後述する管理サーバ３の記憶部１４に保存する。このとき、所定単位に分割された複数のＰＳデータファイル１５０の属性情報１１０及び世代情報１３０を、後述する管理サーバ３の管理ＤＢ１５に登録する。さらに、データ保護設定部１２によって、所定単位に分割された複数のＰＳデータファイル１５０のファイル編集やファイル削除の保護をすることができる。データ保護設定部１２は、出力媒体が印刷された後に設定するか、又は、出力媒体が校了となった場合に設定しても良い。ＰＳデータファイル分割登録部１０は、編集端末２にインストールされている編集ソフトウェアの機能と連携し、所定単位に分割するよう独自に構築している機能である。ＰＳデータファイル分割登録部１０は、出力サイズの設定も可能である。所定単位に分割された複数のＰＳデータファイルは、ページ単位、折り単位又は工程単位であることが好ましいが、特に限定されるものではない。
【００３３】
読み出し部１１は、後述する管理サーバ３の記憶部１４に記憶された所定単位に分割されたＰＳデータ１５０及び管理サーバ３の管理ＤＢに、記憶された世代情報１３０を編集端末の読み出し部で読み出すとともに、前記所定単位に分割されたＰＳデータ及び前記世代情報からコード化情報を生成し、前記管理サーバの管理ＤＢに登録することができる。
【００３４】
図３に示した管理サーバ３について更に詳細に説明する。記憶部１４は、図５に示した所定単位に分割された複数のＰＳデータファイル１５０を管理ＤＢ１５に保存する。記憶部１４は、ハードディスク、ＤＶＤ−ＲＯＭ、ＣＤ−ＲＯＭ、ＭＯディスク、ＦＤ、ＵＳＢメモリ等、特に限定されるものではない。
【００３５】
管理ＤＢ１５は、所定単位に分割された複数のＰＳデータファイル単位の属性情報、世代情報、コード化情報及び保護設定情報が登録される。また、後述する検証端末４の読み取り部１６で出力媒体に印刷されているコード化情報１７０を読み取った後に、管理サーバの管理ＤＢに出力媒体管理情報を追加して登録することができる。追加することができる出力媒体管理情報には、管理番号、登録日時、登録者及び登録場所等の出力媒体を特定することができる固有情報であれば、特に限定されるものではない。登録された出力媒体管理情報を基に、出力媒体そのものの同一性検証を検証する。なお、管理ＤＢ１５は、属性情報テーブル、世代情報テーブル、コード化情報テーブル、保護設定情報テーブル及び出力媒体管理情報テーブルを保存することができれば、データベースの構成又は種類は、特に限定しない。また、各テーブルは、同じネットワーク内に構成されていれば別々のサーバに格納されていても良い。
【００３６】
検証端末４の読み取り部１６は、出力媒体１６０に印刷されたコード化情報１７０を読み出す。読み取り部１６は、バーコードリーダ、デジタルカメラ、スキャナ、携帯電話等、特に限定されるものではない。検証端末４の検証部１７は、読み取り部１６で読み取られた出力媒体１６０に印刷されたコード化情報１７０と、管理サーバ３の管理ＤＢ１５に登録された本来、出力されるべきコード化情報を読み出し、出力媒体１６０に印刷されたコード化情報１７０との同一性を検証する。出力媒体１６０に印刷されたコード化情報１７０と管理サーバ３の管理ＤＢ１５に登録された出力媒体１６０のコード化情報１７０が同一であることが認められない場合は、出力用ＰＳデータファイル１８０を出力することができない。このとき、読み出される管理サーバ３の管理ＤＢ１５に登録されたコード化情報は、本来、出力されるべき出力媒体のコード化情報である。例えば、本来、出力されるべき出力媒体のコード化情報は、最新の世代のデータ、データ更新日時の最新のデータ、管理者がチェックしたデータ等が基準となって読み出される。さらに、検証端末４の読み取り部１６は、出力媒体を特定することができる固有情報を取得又は追加し、取得又は追加された固有情報は管理サーバ３の管理ＤＢ１５に登録することで、出力媒体そのものの同一性を検証可能とすることができる。
【００３７】
出力装置５は、所定単位に分割された複数のＰＳデータファイル１５０から出力媒体１６０を出力する。このとき、所定単位に分割された複数のＰＳデータファイル１５０にＱＲコード及び／又は属性情報１１０が付加されていれば、出力媒体１６０にＱＲコード及び／又は属性情報１１０が印刷される。出力媒体１６０には、印面情報を文字情報として出力が可能である。出力装置５は、プリンタ、イメージセッター、ＣＴＰ装置等であり、紙媒体、フィルム、刷版媒体等に出力される。
【００３８】
通信ネットワークは、特に限定されるものではない。
【００３９】
所定単位に分割された複数のＰＳデータファイル１５０に対し、校正作業等の結果、修正が必要となった場合は、修正する編集データファイル１００又は更新された編集データファイル１２０を読み出し、修正を加えて、属性情報を再設定する。さらに、修正を加えた編集データファイル１００又は更新された編集データファイル１２０から文書単位のＰＳデータファイル１４０を再生成し、管理サーバ３の記憶部１４に保存する。このとき、文書単位のＰＳデータファイル１４０の属性情報及び世代情報も、管理サーバ３の管理ＤＢに登録され、更新される。ただし、修正を加えたい所定単位に分割されたＰＳデータファイル１５０がデータ保護設定部１２で保護設定されている場合は、保護解除を行ってから登録する。
【００４０】
（印刷用データの検証方法）
印刷用データの検証方法について説明する。図１２に示すように第１の工程は、編集端末の文書単位の編集データ取得部６によって、図５に示す任意の編集又は印刷物の製造をする際の基であるデジタル化された文書単位の編集データファイル１００を取得する。編集データ取得部６でデジタル化された文書単位の編集データファイル１００を取得する場合は、ＣＤ−ＲＯＭドライブ、ＦＤドライブ、イメージカードリーダ、ＵＳＢ等によって取得される。また、ネットワークを介して遠隔地から文書単位の編集データファイル１００を取得しても良い。編集データ取得部６で編集データファイル１００を作成する場合は、編集端末にインストールされている文書作成ソフトウェア、文書編集ソフトウェア等によって作成する。
【００４１】
第２の工程は、第１の工程で取得した編集データファイル１００に編集端末の属性情報設定部によって、属性情報１１０を設定する。属性情報１１０は、編集データファイル名、製品名、編集作業者名、所定単位番号、工程、用紙サイズ、組方向、製品寸法、ＰＳデータ作成日時又は文書更新日時の少なくとも一つを含むものである。前記属性情報１１０は、出力媒体に印刷することができる。編集データファイル名は、入稿又は作成時に付与されたファイルの名称である。製品名は、編集した製品の名称である。編集作業者名は、前記編集データファイル名を編集又は作成した作業者の名称である。所定単位番号は、複数ページにわたる文書単位の編集データファイルの所定単位（例えば、ページ単位、折り単位、工程単位）に付与する番号である。工程は、作業工程を表すものである。用紙サイズは、プリンタから出力する用紙のサイズである。組方向は、文書の縦組又は横組が設定することができる。製品寸法は、Ａ６、Ａ５、Ａ４、Ａ３、Ｂ６、Ｂ５、Ｂ４及びその他並びに縦長、横長等が設定可能である。その他を選択した場合は、縦寸法及び横寸法を入力する。図６に示した属性情報１１０の設定画面は、一例であり、画面の体裁については、特に限定されるものではない。ＱＲコード及び／又は属性情報は、図７に示すように、付加コマンド、場所コマンド及びサイズコマンドを有する。ＱＲコードは、コード化情報１７０から算出した値をコード化したものである。付与コマンドは、出力媒体に対してＱＲコード及び／又は属性情報を付加するか否かを決定することができる。場所コマンドは、ＱＲコード及び／又は属性情報を付加する場合において、図８に示すとおり欄外の小口、天、地、左及び右のいずれか一つを選択することができる。サイズコマンドは、ＱＲコードのサイズの設定及び／又は属性情報の文字の大きさを設定することができる。図８は、ＱＲコードで例示しているが、一次元バーコード、二次元バーコード等のコード情報であれば、特に限定されるものではない。さらに、出力媒体に付加するＱＲコード及び／又は属性情報の付加位置は、とんぼとの相対間隔も併せて設定可能である（図示せず）。
【００４２】
第３の工程は、第２の工程で取得した属性情報１１０の設定された編集データファイル１００の作成又は修正すべき箇所を編集端末のデータ編集部で編集し、図５に示す更新された編集データファイル１２０を取得する。編集端末のデータ編集部８は、市販されている編集ソフトウェアであっても良い。例えば、編集ソフトウェアは、ＥＤＩＡＮ（キャノンＩＴソリューションズ社製）で行われる。
【００４３】
世代情報１３０は、属性情報に加えて、登録日時又は印面情報の少なくとも一つを含むものである。図９に示した世代情報１３０の表示画面は、一例であり、画面の体裁については、特に限定されるものではない。また、世代情報１３０は、所定単位に分割された複数のＰＳデータファイル１５０を管理サーバ３の管理ＤＢ１５に登録する際に、システム内部処理によって自動取得される。
【００４４】
第４の工程は、第２の工程で取得した属性情報１１０の設定された編集データファイル１００及び第３の工程で取得した更新された編集データファイル１２０から編集端末のＰＳデータ書き出し部によって、図５に示す文書単位のＰＳデータファイル１４０を生成する。ＰＳデータ書き出し部は、編集端末にインストールされている編集ソフトウェアのＰＳデータファイル作成コマンドによって行われる。ＰＳデータ書き出し部は、出力サイズの設定も可能である。
【００４５】
第５の工程は、第４の工程で生成した文書単位のＰＳデータファイル１４０から編集端末のＰＳデータファイル分割登録部によって図５に示す所定単位に分割された複数のＰＳデータファイル１５０を生成し、所定単位に分割された複数のＰＳデータファイル１５０を管理サーバの記憶部に保存する。このとき、所定単位に分割された複数のＰＳデータファイル１５０の属性情報１１０及び世代情報１３０を管理サーバ３の管理ＤＢ１５に登録する。ＰＳデータファイル分割登録部は、編集端末にインストールされている編集ソフトウェアの機能と連携し、所定単位に分割するよう独自に構築している機能である。ＰＳデータファイル分割登録部は、出力サイズの設定も可能である。所定単位に分割された複数のＰＳデータファイル１５０は、ページ単位、折り単位又は工程単位であることが好ましいが、特に限定されるものではない。さらに、データ保護設定部１２によって、所定単位に分割された複数のＰＳデータファイル１５０のファイル編集やファイル削除の保護を設定することができる。データ保護設定部１２は、出力媒体が印刷された後に設定するか、又は、出力媒体が校了となった場合に設定しても良い。
【００４６】
第６の工程は、管理サーバ３の記憶部に記憶された所定単位に分割された複数のＰＳデータファイル１５０及び管理サーバ３の管理ＤＢに記憶された世代情報１３０を編集端末の読み出し部で読み出すとともに、前記所定単位に分割されたＰＳデータファイル及び前記世代情報からコード化情報を生成して前記管理サーバ３の管理ＤＢに登録する。また、出力装置によって所定単位に分割された複数のＰＳデータファイル１５０から出力媒体１６０を出力する。このとき、出力媒体１６０にコード化情報１７０としてＱＲコード及び／又は属性情報１１０を印刷することも可能である。出力媒体１６０には、印面情報を文字情報として出力が可能である。出力装置５は、プリンタ、イメージセッター、ＣＴＰ装置等であり、紙媒体、フィルム、刷版媒体等に出力される。第６の工程後、校正作業等で修正が必要となった場合は、修正する編集データファイル１２０を読み出し、修正を加えて属性情報を再設定し、第４の工程から処理を繰り返す。
【００４７】
第７の工程は、第６の工程で出力された出力媒体１６０に印刷されたコード化情報１７０を検証端末の読み取り部で読み取り、管理サーバの管理ＤＢに出力媒体管理情報を追加して登録する。追加する出力媒体管理情報には、管理番号、登録日時、登録者、登録場所等の出力媒体を特定することができる固有情報であれば、特に限定しない。登録された出力媒体管理情報を基に、出力媒体そのものの同一性を検証する。また、管理サーバの管理ＤＢに登録された出力媒体のコード化情報を読み出し、検証端末の検証部で、出力媒体に印刷されたコード化情報１７０と管理ＤＢに登録された出力媒体１６０のコード化情報１７０の同一性を検証する。このとき、読み出される管理サーバ３の管理ＤＢに登録されたコード化情報は、本来、出力されるべき出力媒体のコード化情報である。例えば、本来、出力されるべき出力媒体のコード化情報は、最新の世代のデータ、データ更新日時の最新のデータ、管理者がチェックしたデータ等が基準となって読み出される。読み取り部は、バーコードリーダ、デジタルカメラ、スキャナ、携帯電話等、特に限定されるものではない。
【００４８】
さらに、検証端末の読み取り部は、出力媒体を特定することができる固有情報を取得又は追加し、取得又は追加された固有情報は管理サーバの管理ＤＢに登録することで、出力媒体そのものの同一性を検証可能とすることができる。
【００４９】
上記記載の管理ＤＢ１５は、所定単位に分割された複数のＰＳデータファイル単位の属性情報、世代情報、コード化情報及び保護設定情報が登録される。なお、管理ＤＢ１５は、属性情報テーブル、世代情報テーブル、コード化情報テーブル、保護設定情報テーブル及び出力媒体管理情報テーブルを保存することができれば、データベースの構成又は種類は、特に限定しない。また、各テーブルは、同じネットワーク内に構成されていれば、別々のサーバに格納されていても良い。上記記載の管理サーバの記憶部は、ハードディスク、ＤＶＤ−ＲＯＭ、ＣＤ−ＲＯＭ、ＭＯディスク、ＦＤ、ＵＳＢメモリ等、特に限定されるものではない。
【００５０】
本発明の検証プログラムは、前記印刷用データの検証方法をプログラム化してコンピュータで実行することが可能である。
【００５１】
本発明の印刷用データの検証方法は、上記で説明した編集データ取得部、属性情報設定部、データ編集部、ＰＳデータ書き出し部、ＰＳデータファイル分割登録部及び読み出し部を有する編集端末と、記憶部及び前記記憶部に記憶される管理ＤＢを有する管理サーバと、読み取り部と検証部を有する検証端末及び出力装置から構成される印刷用データの検証システム１を用いていることが好ましい。
【００５２】
本発明のポストスクリプトデータを用いた印刷用データの検証方法、検証システム及び検証プログラムで編集可能な文書は、特に限定されるものではない。
【符号の説明】
【００５３】
１          印刷用データの検証システム
２          編集端末
３          管理サーバ
４          検証端末
５          出力装置
６          編集データ取得部
７          属性情報設定部
８          データ編集部
９          ＰＳデータ書き出し部
１０        ＰＳデータファイル分割登録部
１１        読み出し部
１２        データ保護設定部
１４        記憶部
１５        管理ＤＢ
１６        読み取り部
１７        検証部
１００      編集データファイル
１１０      属性情報
１２０      更新された編集データファイル
１３０      世代情報
１４０      文書単位のＰＳデータファイル
１５０      所定単位に分割されたＰＳデータファイル
１６０      出力媒体
１７０      コード化情報
１８０      出力用ＰＳデータファイル
【図１】
2010187117.tif 000003
【図２】
2010187117.tif 000004
【図３】
2010187117.tif 000005
【図４】
2010187117.tif 000006
【図５】
2010187117.tif 000007
【図６】
2010187117.tif 000008
【図７】
2010187117.tif 000009
【図８】
2010187117.tif 000010
【図９】
2010187117.tif 000011
【図１０】
2010187117.tif 000012
【図１１】
2010187117.tif 000013
【図１２】
2010187117.tif 000014
【図１３】
2010187117.tif 000015